【事件の表示】
　特許第３２７３８８１号「シュレッダーの細断屑ならし装置」の請求項１ないし３に係る特許に対する特許異議の申立てについて、次のとおり決定する。
【結　論】
　訂正を認める。
　特許第３２７３８８１号の請求項１ないし２に係る特許を維持する。
【理　由】
１．手続の経緯
　本件の請求項１ないし３に係る発明の出願は、平成７年１０月３０日に出願され、平成１４年２月１日にその特許権の設定登録がなされ、その後、特許異議申立人　ナカバヤシ株式会社（以下、「申立人」という。）より、特許異議の申立てがなされ、平成１４年１２月２６日付けで請求項１及び３に係る発明についての特許の取消の理由が通知され、その指定期間内である平成１５年３月１０日に訂正請求がなされたものである。
　
２．訂正の適否についての判断
２−１．訂正の内容
（１）訂正事項ａ
　特許請求の範囲の請求項１の記載について、「・・・ようにしたことを特徴とするシュレッダーの細断屑ならし装置。」とあるのを、「・・・ようにしたシュレッダーの細断屑ならし装置であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とするシュレッダーの細断屑ならし装置。」と訂正する。
（２）訂正事項ｂ
　特許請求の範囲の請求項２を削除し、請求項３の記載について「・・・請求項１又は２記載のシュレッダーの細断屑ならし装置。」とあるのを、「・・・請求項１記載のシュレッダーの細断屑ならし装置。」と訂正するとともに、項番を１つ繰り上げ、請求項２とする。
（３）訂正事項ｃ
　明細書中の段落【０００７】における「ようにしたことを特徴とする。」を「ようにしたシュレッダーの細断屑ならし装置であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とする。」と訂正する。
（４）訂正事項ｄ
　明細書中の段落【０００９】における「シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるように」を「このように」と訂正する。
　
２−２．訂正の目的の適否、新規事項の有無及び拡張・変更の存否
　上記訂正事項ａは、実質的には、もとの請求項１の発明特定事項の一部を限定したものであるもとの請求項２を、新しい請求項１としたものであって、特許請求の範囲の減縮を目的とするものに該当する。また、上記訂正事項ａは、願書に添付した明細書又は図面に記載した事項の範囲内においてなされたものであり、実質上特許請求の範囲を拡張又は変更するものでもない。
　上記訂正事項ｂは、上記訂正事項ａの訂正に伴い、もとの請求項３を請求項２に繰り上げ、請求項１にのみ従属することとしたものであって、特許請求の範囲の減縮を目的とするものに該当する。また、上記訂正事項ｂは、願書に添付した明細書又は図面に記載した事項の範囲内においてなされたものであり、実質上特許請求の範囲を拡張又は変更するものでもない。
　上記訂正事項ｃは、上記訂正事項ａの訂正に伴い、対応する発明の詳細な説明の欄の記載を明りょうなものに訂正したものであり、明りょうでない記載の釈明を目的とするものに該当する。また、上記訂正事項ｃは、願書に添付した明細書又は図面に記載した事項の範囲内においてなされたものであり、実質上特許請求の範囲を拡張又は変更するものでもない
　上記訂正事項ｄは、上記訂正事項ａの訂正に伴い、対応する発明の詳細な説明の欄の記載を明りょうなものに訂正したものであり、明りょうでない記載の釈明を目的とするものに該当する。また、上記訂正事項ｄは、願書に添付した明細書又は図面に記載した事項の範囲内においてなされたものであり、実質上特許請求の範囲を拡張又は変更するものでもない
　
２−３．むすび
　したがって、上記訂正は、特許法第１２０条の４第２項、及び特許法第１２０条の４第３項において準用する同法第１２６条第２項及び第３項の規定に適合するものであるので、当該訂正を認める。
　
３．特許異議の申立てについての判断
３−１．特許異議の申立ての理由の概要
　申立人の主張する申立て理由の概要は以下のとおりである。
〈理由１〉：本件の請求項１及び３に記載された発明は、本件出願前に日本国内において頒布された刊行物である特開平７−１４４１４３号公報（甲第１号証）に記載された発明に基づいて当業者が容易に発明をすることができたものであるから、特許法第２９条第２項の規定により特許を受けることができない。したがって、本件の請求項１及び３に記載された発明についての特許は取り消すべきである。
〈理由２〉：本件の請求項２に記載された発明は、発明の詳細な説明に記載されたものではないので、特許法第３６条第６項に規定する要件を満たしていない。したがって、本件の請求項２に記載された発明についての特許は取り消すべきである。
　
３−２．〈理由１〉についての判断
（１）本件発明
　上記「２．」で示したように上記訂正が認められるから、本件の請求項１、２に係る発明（以下、「本件発明１、２」ともいう。）は、上記訂正請求に係る訂正明細書の特許請求の範囲の請求項１，２に記載された事項により特定される次のとおりのものと認められる。
「 【請求項１】　廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたシュレッダーの細断屑ならし装置であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とするシュレッダーの細断屑ならし装置。
　　【請求項２】　該屑ならし手段が１枚以上の屑ならし羽根を具備したファン機構であることを特徴とする請求項１記載のシュレッダーの細断屑ならし装置。」
　
（２）刊行物に記載の事項
　刊行物１：特開平７−１４４１４３号公報（申立人が提出した甲第１号証）
　上記刊行物１には、第３頁左欄第２６〜３７行、第４頁左欄第７〜２４行、図１〜５の記載からみて、
「廃棄用紙などを細断する細断刃を備えた細断部２０と、該細断部２０によって細断された細断屑を収容する屑収容箱３２と、該屑収容箱３２を外部に取出すための開閉自在の扉１２ｄと、該屑収容箱３２の上方に回転自在に取りつけられ１枚以上の屑ならし羽根を具備したファン機構からなる屑ならし手段５０とを有し、該扉１２ｄを開放すると屑収容箱３２が下方に移動して上記屑収容箱３２が取り出し可能となり、該扉１２ｄを閉めると屑収容箱３２が上方に移動して該屑収容箱３２内の細断屑のならし作業が可能となるようにしたシュレッダーの細断屑ならし装置。」に関する事項が記載されている。
　なお、申立人は、甲第２号証として、特許第２８９２２６４号公報（上記甲第１号証に係る出願の特許公報）を提出しているが、甲第２号証は、特許異議申立ての理由の中で、甲第１号証の記載事項の解釈の参考として用いているにすぎず、また、そもそも、甲第２号証は、本件出願前に日本国内又は外国において頒布された刊行物ではないので、新規性又は進歩性の根拠としての検討を要するものではない。
　
（３）対比・判断
　本件発明１，２と、刊行物１に記載の事項とを対比すると、刊行物１には、本件発明１，２を特定する事項である「シュレッダーの内部空間に上下動自在でかつ付勢手段によって上方に常時付勢された可動ベース板を設け、屑ならし手段を該可動ベース板に接続し、扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにした」事項が記載されておらず、かつ、示唆もされていない。そして、本件発明１，２は、当該事項により、「簡単な機構により、細断屑の嵩を減少させて屑収容箱の収容量を増大させることが出来、かつ屑収容箱の取り出し及び収納を簡単にできる」という本件特許明細書に記載の効果を奏する。
　したがって、本件発明１，２は、刊行物１に記載された発明と同一ではないばかりか、刊行物１に記載された発明に基づいて、当業者が容易に発明をすることができたものである、とすることはできない。
　
３−３．〈理由２〉についての判断
　本件発明１は、訂正前の請求項２に記載された事項を取り込んだものであるから、上記〈理由２〉についても検討する。
　〈理由２〉に関する申立人の主張（特許異議申立書第９頁第１〜１５行）を、本件発明１に当てはめると、概ね次のようになる。
　
「本件発明１の前段『廃棄用紙などを・・・ようにしたシュレッダーの細断屑ならし装置であって、』中の『移動停止手段』と、後段『シュレッダーの内部空間に・・・復帰移動せしめられるようにした』に記載の事項との関係が不明確である。さらに、『移動停止手段』について、何がその構成に該当するのか発明の詳細な説明に記載されていない。」
　
　しかしながら、本件発明１中の「シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにした」事項が、「屑ならし手段を上方の待機位置及び下方の屑ならし位置にそれぞれ移動停止せしめる移動停止手段」に相当することは、明細書及び図面の記載全体からみて明らかである。
　したがって、本件発明１、すなわち、本件の特許請求の範囲に記載の発明が、特許法第３６条第６項に規定する要件を満たしていない、とすることはできない。
　
４．むすび
　以上のとおりであるから、特許異議申立ての理由及び証拠によっては、本件発明１，２についての特許を取り消すことができない。
　また、他に本件発明１，２についての特許を取り消すべき理由を発見しない。
　よって、上記結論のとおり決定する。
【異議決定日】
平成１５年４月２２日（２００３．４．２２）
【訂正の要旨】
ａ．特許請求の範囲の請求項１をもとの請求項２に限定する。即ち、もとの請求項１における「ようにしたことを特徴とするシュレッダーの細断屑ならし装置。」を「ようにしたシュレッダーの細断屑ならし装置
であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とするシュレッダーの細断屑ならし装置。
ｂ．特許請求の範囲の請求項２をもとの請求項３とし、上記請求項１にのみ従属させる。即ち、「該屑ならし手段が１枚以上の屑ならし羽根を具備したファン機構であることを特徴とする請求項
１
ｃ．明細書中の段落【０００７】における「ようにしたことを特徴とする。」を「ようにした
シュレッダーの細断屑ならし装置であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにした
ｄ．明細書中の段落【０００９】における「シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるように」を「
このように
（５４）【発明の名称】
シュレッダーの細断屑ならし装置
（５７）【特許請求の範囲】
　【請求項１】　廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたシュレッダーの細断屑ならし装置
であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とするシュレッダーの細断屑ならし装置。
　【請求項
２
１
【発明の詳細な説明】
　【０００１】
　【発明の属する技術分野】
　本発明は、廃棄用紙などを細断するシュレッダーの改良に関し、更に詳細には細断された細断屑を効率よく屑収容箱に収容することを可能としたシュレッダーの細断屑ならし装置に関する。
　【０００２】
　【従来の技術】
　従来、シュレッダーにおいては、細断された廃棄用紙等の細断屑は、切断刃からなる切断部の下方に設置された屑収容箱内に落下収容させる。この細断屑は、細断紙片であるため嵩ばり、比較的少量の廃棄用紙等を細断した場合でも屑収容箱が満杯になることが多く、その都度屑収容箱を外部に取り出し、細断屑を廃棄し再び屑収容箱をシュレッダー内部に収容するという作業を繰り返す必要があった。このような手間を軽減するために屑収容箱に落下した細断屑を圧縮し、細断屑の嵩を小さくして屑収容箱への細断屑の収容量を増大させる提案がなされている（実開平３−７５８４３号公報、実開平３−１０９６５６号公報など）。
　【０００３】
　上記したような圧縮手段を用いて細断屑を圧縮する場合には、細断屑を圧縮するために屑収容量が増大する利点はあるが、細断屑を圧縮するための圧縮機構及び過圧縮を防止するためのセンサー手段などが必要であり、それだけ部品点数が増大するという問題があった。
　【０００４】
　【発明が解決しようとする課題】
　そこで、本願出願人は、シュレッダーの側板の内部中央周辺部に設けられたベース板と、該ベース板の上方に形成された上部空間と、該ベース板の下方に形成された下部空間と、該上部空間に設置されかつ廃棄用紙などを細断する細断刃を備えた切断部と、該下部空間に設置されかつ細断された細断屑を収容する屑収容箱と、該下部空間の前方に設けられた扉とを有するシュレッダーにおいて、該屑収容箱の上方に屑ならし手段を回転自在に取り付け、かつ上記扉を閉めると該屑収容箱が上方に移動して、該屑収容箱の上端縁部が上記ベース板の下面に当接して、該ならし手段によるならし作業中に細断屑が該屑収容箱から脱落しないようにしたシュレッダーの細断屑ならし装置をさらに提案した（特開平５−２９６６５５号公報）。
　【０００５】
　しかし、上記提案においては、扉の開閉に連動して屑収容箱が上下する構成としてあるため扉の開閉の際に屑収容箱と細断屑の重量に抗して力を加える必要があり、それだけ使用者に余分な労力を強いるという難点があった。
　【０００６】
　本発明は、上記した従来技術の問題点に鑑みなされたもので、比較的簡単な機構により細断屑の嵩を減少させて屑収容箱の収容量を増大させることが出来、かつ屑収容箱の取り出し及び収納を簡単に行なうことが出来るようにしたシュレッダーの細断屑ならし装置を提供することを目的とする。
　【０００７】
　【課題を解決するための手段】
　上記課題を解決するために、本発明のシュレッダーの細断屑ならし装置は、廃棄用紙などを細断する細断刃を備えた細断部と、該細断部によって細断された細断屑を収容する屑収容箱と、該屑収容箱を外部に取出すための開閉自在の扉と、該屑収容箱の上方に上下動自在かつ回転自在に取りつけられた屑ならし手段と、該屑ならし手段を上方の待機位置及び下方の屑ならし位置にそれぞれ移動停止せしめる移動停止手段とを有し、該移動停止手段が上記扉の開閉に連動し、該扉を開放すると該屑ならし手段が上方の待機位置に移動停止して上記屑収容箱が取り出し可能となり、該扉を閉めると該屑ならし手段が下方の屑ならし位置に移動停止して該屑収容箱内の細断屑のならし作業が可能となるようにしたシュレッダーの細断屑ならし装置
であって、シュレッダーの内部空間に上下動自在でかつ付勢手段によって上方に常時付勢された可動ベース板を設け、上記屑ならし手段を該可動ベース板に接続し、上記扉に押下げ手段を設け、該扉を閉めると該押下げ手段の動作によって該可動ベース板が押下げられるとともに該屑ならし手段が屑ならし位置まで押し下げられ、一方該扉を開けると該押下げ手段による該可動ベース板の押下げ動作が解消し、該可動ベース板及び屑ならし手段は上記付勢手段によって上方の待機位置に復帰移動せしめられるようにしたことを特徴とする
　【０００８】
　
このように
　【０００９】
　また、
このように
　【００１０】
　上記屑ならし手段としては、１枚以上の屑ならし羽根を具備したファン機構が好適に用いられる。
　【００１１】
　【発明の実施の形態】
　以下、本発明の１つの実施の形態について添付図面にもとづいて説明する。
　【００１２】
　図１において、１２は廃棄用紙Ｐなどを細断するためのシュレッダーである。該シュレッダー１２は底板１２ａ、側板１２ｂ及び上部蓋板１２ｃからなる箱状体に形成され、前部には扉１２ｄが開閉自在に設けられる。該シュレッダー１２の内部中央周辺部には、ベース板１４が取り付けられている。
　【００１３】
　該シュレッダー１２の内部は、該ベース板１４の上方に位置する上部空間１３と該ベース板１４の下方に位置する下部空間１５とに分かれる。該上部空間部１３には、一対の縦切りカッター１６，１６及び該縦切りカッター１６，１６の下方に設けられた横切カッター１８からなる細断部２０が設けられている。
　【００１４】
　２２は、該細断部２０を駆動するためのモーターである。該モーター２２は基板２４上に設けられている。２６は該モーター２２を被覆する防塵カバーである。２８はシュレッダー１２の駆動を制御する制御機構が収納されている制御ボックスであり、同様に防塵カバー３０によって被覆されている。
　【００１５】
　該シュレッダー１２の下部空間１５には屑収容箱３２が上記底板１２ａ上に外部への取り出し可能に配置されている。３３は、前記ベース板１４の下面の全周にわたるように取りつけられ、該屑収容箱から細断屑Ｄが飛散脱落しないように作用する飛散防止枠である。
　【００１６】
　図１及び図２において、符号３４は、シュレッダー１２の内部空間に上下動自在に設けられた可動ベース板である。該可動ベース板３４の上下動構造としては、公知の機構を適用すればよい。
　【００１７】
　図１及び図２に示した例では、側板１２ｂに取りつけられた基板３６にガイドレール３８を固着し、一方該可動ベース板３４には取付けベース４０を介してスライドレール４２が取りつけられている。
　【００１８】
　該スライドレール４２を該ガイドレール３８に摺動自在に挿通することによって、該スライドレール４２が上下方向に摺動可能とされ、したがって、該スライドレール４２に取りつけられた可動ベース板３４は上下動自在に該側板１２ｂに取りつけられていることとなる。
　【００１９】
　４４は、上端を該ベース板１４に固着した軸である。該軸４４の下部は自由端とされ、該取付けベース４０に穿設された挿通孔４６に遊挿されている。該軸４４の周囲にはスプリング４８が巻回されている。該スプリング４８は下方に圧縮されると、上方に付勢するように構成されている。
　【００２０】
　該スプリング４８を下方に押圧する構成は、該可動ベース板３４の側方に延出部を設け、該軸４４を挿通する貫通孔４５を穿設し、該貫通孔に該軸４４を挿通し、該スプリング４８の上端は該可動ベース板３４の下面に当接し、該可動ベース板３４が下方に移動すると、該スプリング４８が下方に押圧され、圧縮されるようにすればよい。
　【００２１】
　図１及び図２において、符号５０は、１枚又は複数枚の羽根５０ａを備えたファン機構で、細断屑をならす作用をするならし手段である。５２は、該ファン機構５０を回転駆動するモーターで、前記可動ベース板３４に取り付けられた支持板５４上に載置されている。
　【００２２】
　５６は、細断屑Ｄを感知する屑センサーである。５８は、ファンセンサーで、ファン機構５０が存在しているか否かの検知及び回転すべきときにファン機構５０が回転しているか否かを検知する。
　【００２３】
　上記ファン機構５０に取りつけられる羽根５０ａの枚数は、１枚以上複数枚を設ければよく、特別の限定はないが、４枚が好ましい。該羽根５０ａの形状も細断屑Ｄをならす作用があればよく、図５に示したごとき形状でよいが、図６に示す如く、下方傾斜した形状の羽根を用いるとならし作用の効率が向上する。又、該羽根５０ａにガード部材（不図示）を取りつけて危険防止を図ることもできる。
　【００２４】
　６０は、前記扉１２ｄの内面に取りつけられた押下げ手段となる押下げブロックで、上面側を長尺平坦面６１ａとして、下面側に斜面６１ｂを介して短尺平坦面６１ｃを設けた側面略台形楔状に形成されている。該押下げブロック６０は、その先端突部６０ａが前記ベース板１４の下面と該可動ベース板３４の上面との間の間隙に侵入できる位置に取りつけられている。
　【００２５】
　該扉１２ｄを閉めると該押下げブロック６０が該ベース板１４と可動ベース板３４との間に侵入し、該可動ベース板３４を下方に押下げるように作用する。６２はベアリングで、該可動ベース板３４の該扉１２ｄと面する側面３４ａにベアリングブロック６４を介して取りつけられている。該ベアリング６２は該押下げブロック６０による該可動ベース板３４の押下げが円滑に行なわれるように作用する。
　【００２６】
　該押下げブロック６０が該可動ベース板３４方向へ進出すると、該ベアリング６２は斜面６１ｂに沿って回転降下し、下面側の短尺平坦面６１ｃに達する。ベアリング６２が短尺平坦面６１ｃに位置する状態で、該可動ベース板３４は最下位位置に達しており、該屑ならし手段５０は屑ならし位置に位置することとなる。該押下げブロック６０が後退している状態では、該可動ベース板３４は該ベース板１４の下面と当接して最上位の位置にあり、該屑ならし手段５０は上方の待機位置に位置することとなる。
　【００２７】
　なお、６６は該ベース板１４の下面にとりつけられた弾性を有するクッション部材で、該可動ベース板３４がスプリング４８の力によって上方に移動する際に、該ベース板１４へ該可動ベース板３４が接触する際の衝撃を緩和する作用を果す。
　【００２８】
　上記構成により、その作用を説明する。シュレッダー１２の細断部２０によって細断された廃棄用紙等の細断屑Ｄは、該細断部２０の下方に設置された屑収容箱３２内に落下し集積する。
　【００２９】
　上記屑ならし手段、すなわちファン機構５０の使用態様は、一様ではなく種々の用い方が可能である。例えば廃棄用紙等の細断開始と同時にファン機構５０も回転させ、細断終了と同時にファン機構５０も停止させる。
　【００３０】
　この場合、細断部２０で細断された細断層は、ファン機構５０の羽根５０ａの間から下方に落下して屑収容箱内に収容される。この落下状態は、羽根５０ａの回転に伴ない、屑収容箱内に均一に落下せしめられる。
　【００３１】
　更に、細断屑が大量となり該ファン機構５０の位置まで達すると、羽根５０ａの回転により細断屑Ｄは均一にならされることとなる。なお、前記屑センサー５６が細断屑Ｄを感知した時点で、屑収容箱３２は取り出される。細断作業停止後、該ファン機構５０を短時間回転させ、最後の屑ならし動作を行なわせるのが好ましい。
　【００３２】
　図４に示すように、該扉１２ｄを閉じると該可動ベース板３４が該押下げブロック６０の作用によって下方に移動し、該可動ベース板３４に接続されたファン機構５０、すなわち屑ならし手段は、屑収容箱３２内の屑ならし位置に下降して停止する。
　【００３３】
　この状態で細断作業が行なわれ、上述したごとく、細断屑がファン機構５０に達すると屑ならし作業も行なわれる。前記屑センサー５６によって細断屑Ｄが感知されると細断作業及び屑ならし作業が停止する。この時点で、該屑収容箱３２は細断屑Ｄで満杯となっている。
　【００３４】
　該扉１２ｄを開けると、該押下げブロック６０が該扉１２ｄとともに後退し、それと同時に該スプリング４８の作用によって該可動ベース板３４は該屑収容箱３２の上方の待機位置に復帰する。したがって、該屑収容箱３２は、取り出し可能となる。
　【００３５】
　該屑収容箱３２内の細断屑Ｄを廃棄した後、再び該屑収容箱３２を該底板１２ａ上に載置し、扉１２ｄを閉めると、前述したごとく、該ファン機構５０は、該屑収容箱３２内の屑ならし位置に下降して停止する。
　【００３６】
　この状態で再び細断作業が可能となる。前記ファンセンサー５８は、ファン機構５０が脱落して存在しない場合及び細断屑Ｄが羽根５０ａ〜５０ｄに巻きついて羽根５０ａ〜５０ｄの回転が強制的に停止した場合などの事故発生を検知し、細断作業及び屑ならし作業を停止せしめるように作動する。
　【００３７】
　上記実施例では、扉の開閉に応じて該ファン機構５０を上下動させる構成について説明したが、該ファン機構５０の上下動を行なう手段を扉１２ｄの開閉と連動させず、別に設けることも可能である。
　【００３８】
　なお、ファン機構５０の回転速度については、特別の説明を加えなかったが、通常のファンのように送風するものではないので、ゆっくりした速度で回転させれば充分に本発明の効果は達成される。
　【００３９】
　【発明の効果】
　以上述べたごとく、本発明によれば、簡単な機構により、細断層の嵩を減少させて屑収容箱の収容量を増大させることが出来、かつ屑収容箱の取り出し及び収納を簡単に行なうことができるという効果がある。
【図面の簡単な説明】
　【図１】
　本発明の一実施例を示す概略縦断面図である。
　【図２】
　同上の一部を省略した概略横断面図である。
　【図３】
　扉を開放した場合の押下げブロックと可動ベース板との位置関係を示す断面的説明図である。
　【図４】
　扉を閉めた場合の押下げブロックと可動ベース板との位置関係を示す断面的説明図である。
　【図５】
　ファン機構の１例を示す摘示斜視図である。
　【図６】
　ファン機構の他の例を示す摘示斜視図である。
　【図７】
　屑収容箱の１例を示す側面図である。
　【符号の説明】
　１２　シュレッダー
　１２ａ　底板
　１２ｂ　側板
　１２ｃ　上部蓋板
　１２ｄ　扉
　１３　上部空間
　１４　ベース板
　１５　下部空間
　１６　縦切りカッター
　１８　横切カッター
　２０　細断部
　２２　モーター
　２４　基板
　２６，３０　防塵カバー
　２８　制御ボックス
　３２　屑収容箱
　３３　飛散防止枠
　３４　可動ベース板
　３４ａ　側面
　３６　基板
　３８　ガイドレール
　４０　取付けベース
　４２　スライドレール
　４４　軸
　４５　貫通孔
　４６　挿通孔
　４８　スプリング
　５０　ファン機構
　５０ａ，５０ｂ，５０ｃ，５０ｄ　羽根
　５２　モーター
　５４　支持板
　５６　屑センサー
　５８　ファンセンサー
　６０　押下げブロック
　６０ａ　先端突部
　６１ａ　長尺平坦面
　６１ｂ　斜面
　６１ｃ　短尺平坦面
　６２　ベアリング
　６４　ベアリングブロック
　６６　クッション部材
　Ｄ　細断屑
　Ｐ　廃棄用紙